(57)【要約】【課題】  従来技術のピアス用キャッチ３は、金やプラチナといった貴金属を薄く延ばし、プレスや曲げ加工によりバネ力を持たせていたが、貴金属自体の材質にはやわらかい物が多く、強力なバネ力を持たせようとしても限界があり、時間の経過とともに変形したり、バネ力自体が失われることで経時劣化が発生し、抜け落ちしやすい。【解決手段】  本発明でのピアス用キャッチは、ピン挿入孔６及びほぼ点対称な二つの略Ｌ字型アーム８とともに形成した基板部７の略Ｌ字型アーム８を折り返し編み込むように重ね合わせ図２のような構造とし、挿入するピアス用ピンよりも細い穴となるピン係止部９により、ピアス用ピン４のキャッチ受部１１を係止することでピアス本体が固定される。よって、着脱時にのみ縦方向のバネ力を利用するため、バネ力の弾性力の耐久性を向上したことにより、抜け落ちしにくいピアス構造とすることができる。【選択図】図２
2008302047.tif 000002
【特許請求の範囲】
【請求項１】
ピアス用ピンをピアス用キャッチに挿入して固定するピアス構造において、前記ピアス用キャッチは中心にピン挿入孔６を有する円形の基板部７とその外周にほぼ点対象の二つの略Ｌ字型アーム８を一体形成された基板の略Ｌ字型アーム８を円形基板の同一面に折り返し重ねることで、互いの略Ｌ字型アームの内周にピン挿入孔６より狭い隙間部を形成し、この隙間部をピン係止部９として、ピアス用ピンを耳など人体にあけたピアス孔から挿入しさらに、ピアス用キャッチをピン挿入孔６から挿入し、ピアス用ピンのキャッチ受部をピアス用キャッチのピン係止部９により係止し固定することを特徴とするピアス構造。
【請求項２】
請求項1記載のピアス用ピンをピアス用キャッチに挿入して固定するピアス構造において、前記ピアスのキャッチ受部が、ピアス用ピンの長手方向に沿ってキャッチ受部となり、環状の凹部を複数個連続して形成したことを特徴とするピアス構造。
【発明の詳細な説明】
【技術分野】
【０００１】
この発明は、ピアス装飾体にあるピンを係止固定するためのピアス構造に関する。
【背景技術】
【０００２】
図５を使用して従来のピアス構造の説明をする。図５が示すようにピアス装飾体が正面に来るように耳などの人体にあけたピアス孔からピアス用ピン４を挿入し貫通させ、ピアス用ピン４を基板部１２のピン挿入孔１５に挿入し、ピアス用ピン４をピアス用キャッチ３が受ける構造になっている。
【０００３】
従来のピアス用キャッチ３は金やプラチナ等の貴金属でできており、図５からもわかるように、基板部１２から一体成型でカールさせた線対称の一対のピン狭持部１３がついており、基板部１２にピン挿入孔１５が設けてある。
【０００４】
上記の形から、ピン挿入孔１５からピアス用ピン４を挿入しピン狭持部１３に挿入したピアス用ピン４のキャッチ受部１４が、ピン狭持部１３のバネ力により挟まれピアス本体を支えることができる。
【発明の開示】
【発明が解決しようとする課題】
【０００５】
上記で説明した従来技術のピアス用キャッチ３は、金やプラチナといった、貴金属を薄く延ばしプレスや曲げ加工によりバネ力を持たせていたが、貴金属自体の材質にはやわらかい物が多く、強力なバネ力を持たせようとしても限界があり、時間の経過とともに変形したり、バネ力自体が失われたりしてしまう経時劣化が発生する。
【０００６】
また、材質が金属ではなく、シリコン等の樹脂の弾性力を用いたピアス用キャッチもあるが、貴金属と違い人の出す汗や体液及び空気中の酸素とで劣化し樹脂自体の弾性力が無くなってしまい、やはり経時劣化が発生してしまう。また、従来技術と樹脂を組み合わせたものもあるが、経時劣化の進行が多少遅いものの、結果は同じである。
【０００７】
現在のピアス本体に有するピンについては、固定される位置がひとつで、耳などの人体にあけるピアス孔の厚みはピアス孔をあける位置や、個人差によっても左右されてしまう。
【０００８】
その為、耳などの人体にあけたピアス孔とピアス用キャッチとの間に隙間ができてしまったり、固定位置までピアス用キャッチが挿入しきれなくなってしまうことが多く、人体とピアス本体及びピアス用キャッチとの間に異物（髪の毛等）が入り込んでしまう。
【０００９】
上記の結果から、ピアス用キャッチが抜け落ち紛失してしまうケースが非常に多く、その時点で気づけばピアス用キャッチの紛失だけでとどめることができる為、安価な損失に過ぎないが、多くは高価なピアス本体をも紛失してしまう。このため、高価なピアスを装飾品として身につけることが困難であることが課題である。
【特許文献１】特開２０００-２４５５１３号広報
【特許文献２】特開２００５-２０４９９１号広報
【課題を解決するための手段】
【００１０】
第１の発明は、従来のピアス用キャッチでは金属の横方向のバネ力を利用していたが、本発明では金属のバネ力を利用せず装着時には係止することによりピアス本体を支え、着脱時にのみ縦方向のバネ力を利用することによって、バネ力の弾性力の耐久性を向上した点にある。
【００１１】
この構造は、ピン挿入孔６及び点対称な二つの略Ｌ字型アーム８とともに形成した中心に穴の開いた基板部７のうち二つの略Ｌ字型アーム８を同一面に折り返し互いの内側へ交差させ、編み込むように重ね合わせ図２のような構造とし、重ね合わせた中心に挿入するピアス用ピンよりも細い穴、ピン係止部９ができる。
【００１２】
ピン挿入孔６より挿入したピアス用ピン２をピン係止部９まで貫通させると略Ｌ字型アーム８の弾性力により、一旦ピン係止部が広がりピアス用ピン４が挿入されキャッチ受部１１まで挿入されると、弾性力によりピン係止部９が狭まり、ピアス用ピン４のキャッチ受部１１をピン係止部９が係止することでピアス本体が固定される。
【００１３】
第２の発明は、第１の発明によりピアス用キャッチがピアス用ピンを係止することで、従来技術よりも必要な面積が少なくなったことにより、キャッチ受部１１を小さくし環状の凹部を複数個設ける事ができるようになり、耳などの人体にあけたピアス孔の厚みを限定されることなくピアスを装着することができる。
【００１４】
これによりピアス用キャッチを多段階位置での固定が可能となる。また、キャッチ受部１１の数は図面の限りではない。
【発明の効果】
【００１５】
この発明によって、係止の着脱の際にのみ金属のバネ力を利用するので従来技術の狭持するためにバネ力を利用したものや、樹脂やシリコン等の酸化や劣化するものを使用していないので長期間、弾性力を維持することができる。
【００１６】
また、第１の発明からピアス用ピンからピアス用キャッチが外れにくくなるため、ピアス用キャッチはもちろんピアス本体を紛失してしまうことを格段に減少させることが可能となる。
【００１７】
さらに第２の発明により、耳などの人体にあけたピアス孔の厚みに左右されることなくピアスを装着することができるため、第１の発明と合わせて更に外れにくいピアス及びピアス用キャッチができる。
【発明を実施するための最良の形態】
【００１８】
図１はピアス用キャッチの展開図であり、中心の穴の開いた円形の基板（以下、基板部７とする）から外側に向けて出ているほぼ点対象の２つの略Ｌ字型アームを、折り返し交差させ編み合わせる事により出来るピン係止部９によりピンを固定するものである。
【００１９】
また、図３のピアス用ピンと合わせて使用することにより任意の位置にピアス用キャッチの固定することができ、耳などの人体にあけたピアス孔の多様な厚みに対応することができる。以下、詳細について、実施例にて説明する。
【実施例】
【００２０】
以下、本発明の実施例について図面を参照して説明する。
【００２１】
図１は、本発明品の展開図であり成型する第一段階である。図１のピン挿入孔６の開いた、基板部７から出ている略Ｌ字型アーム根元部１６及び略Ｌ字型アーム先端部１７で構成されている二つのほぼ点対称な略Ｌ字型アーム８を、基板部７の根元から折り返しお互いの略Ｌ字型アーム８の略Ｌ字型アーム先端部１７が略Ｌ字型アーム根元部１６の下をくぐり（以下、編み込むという表現とする）、図２のように編み込んだ状態となる。
【００２２】
これにより、ピン挿入孔６よりも小さな隙間、ピン係止部９ができる事により、基板部７にあるピン挿入孔６から図３のピアス用ピン２を挿入し、ピン係止部９まで挿入することによりキャッチ受部１１をピン係止部９で係止し、ピアス本体が人体にあけたピアス孔に固定される仕組みになっている。
【００２３】
また、詳しく図解はしていないが略Ｌ字型アーム先端部１７は基板部７の外周より出た先端部分を基板部７ではない方向へ直角に折り曲げ、着脱ボタン５にする。これにより、ピン挿入孔６の上にあるピン係止部９をＬ字型アーム先端部１７の両端についている着脱ボタン５を挟み込むように押すことで弾性力により、ピン係止部９が開閉するためピアス用ピン２を抜き差しすることができる。
【００２４】
なお、ピン係止部９の係止する為に必要な面積が少ないため従来のピアス本体についているピン４を使用した場合においても図６のように多少キャッチ受部１８が広いために、ピン係止部９がキャッチ受部１４を係止すると前後に余裕ができピアス本体が耳などの人体にあけたピアス孔の中で、ピアス本体及びピアス用キャッチとの間で少し動いてしまい、人体とピアス本体及びピアス用キャッチとの間に髪の毛などの異物が挟まってしまうことがあるが、従来技術と比較すると係止という本発明と縦方向のバネ力を利用した弾性力の耐久性向上により、抜け落ちにくくなる。
【００２５】
そのため、ピアス本体のピアス用ピンの形状は従来技術のままでも、ピアス用キャッチを本発明と交換するだけで、抜け落ち等の不具合を回避、減少させることができる。
【００２６】
従って、ピアス用キャッチのみでの販売も可能となり、安価での普及が可能となる。
【図面の簡単な説明】
【００２７】
【図１】本発明におけるピアス用キャッチの展開図。
【図２】図１を組み立てた平面図。
【図３】本発明におけるピアス用ピンの断面図。
【図４】本発明ピアス用ピン及びピアス用キャッチの使用方法を示す図面。
【図５】従来技術のピアス用ピン及びピアス用キャッチの使用方法を示す図面。
【図６】従来技術のピアス用ピン及び本発明におけるピアス用キャッチの使用方法を示した図面。
【符号の説明】
【００２８】
１    本発明ピアス用キャッチ
２    本発明ピアス用ピン
３    従来技術ピアス用キャッチ
４    従来技術ピアス用ピン
５    装飾体
６    ピン挿入孔
７    基板部
８    略Ｌ字型アーム
９    ピン係止部
１０  着脱ボタン
１１  キャッチ受部
１２  従来技術基板部
１３  従来技術ピン狭持部
１４  従来技術キャッチ受部
１５  従来技術ピン挿入孔
１６  略Ｌ字型アーム根元部
１７  略Ｌ字型アーム先端部
【図１】
2008302047.tif 000003
【図２】
2008302047.tif 000004
【図３】
2008302047.tif 000005
【図４】
2008302047.tif 000006
【図５】
2008302047.tif 000007
【図６】
2008302047.tif 000008
【手続補正書】
【提出日】平成19年12月11日(2007.12.11)
【手続補正１】
【補正対象書類名】特許請求の範囲
【補正対象項目名】請求項１
【補正方法】変更
【補正の内容】
【請求項１】
ピアス用ピンをピアス用キャッチに挿入して固定するピアス構造において、前記ピアス用キャッチは中心にピン挿入孔６を有する円形の基板部７とその外周にほぼ点対象の二つの略Ｌ字型アーム８を一体形成された基板の略Ｌ字型アーム８を円形基板の同一面に折り返し重ねることで、互いの略Ｌ字型アーム８の内周にピン挿入孔６より狭い隙間部を形成し、この隙間部をピン係止部９として、ピアス用ピンを耳など人体にあけたピアス孔から挿入しさらに、ピアス用キャッチをピン挿入孔６から挿入し、ピアス用ピンのキャッチ受部をピアス用キャッチのピン係止部９により係止し固定することを特徴とするピアス構造。
【手続補正２】
【補正対象書類名】明細書
【補正対象項目名】００１２
【補正方法】変更
【補正の内容】
【００１２】
ピン挿入孔６より挿入したピアス用ピン２をピン係止部９まで貫通させると略Ｌ字型アーム８の弾性力により、一旦ピン係止部９が広がりピアス用ピン４が挿入されキャッチ受部１１まで挿入されると、弾性力によりピン係止部９が狭まり、ピアス用ピン４のキャッチ受部１１をピン係止部９が係止することでピアス本体が固定される。
【手続補正３】
【補正対象書類名】明細書
【補正対象項目名】００１８
【補正方法】変更
【補正の内容】
【００１８】
図１はピアス用キャッチの展開図であり、中心の穴の開いた円形の基板（以下、基板部７とする）から外側に向けて出ているほぼ点対象の２つの略Ｌ字型アーム８を、折り返し交差させ編み合わせる事により出来るピン係止部９によりピンを固定するものである。
【手続補正４】
【補正対象書類名】明細書
【補正対象項目名】００２３
【補正方法】変更
【補正の内容】
【００２３】
また、詳しく図解はしていないが略Ｌ字型アーム先端部１７は基板部７の外周より出た先端部分を基板部７ではない方向へ直角に折り曲げ、着脱ボタン１０にする。これにより、ピン挿入孔６の上にあるピン係止部９をＬ字型アーム先端部１７の両端についている着脱ボタン１０を挟み込むように押すことで弾性力により、ピン係止部９が開閉するためピアス用ピン２を抜き差しすることができる。
【手続補正５】
【補正対象書類名】明細書
【補正対象項目名】００２４
【補正方法】変更
【補正の内容】
【００２４】
なお、ピン係止部９の係止する為に必要な面積が少ないため従来のピアス本体についているピアス用ピン４を使用した場合においても図６のように多少キャッチ受部１８が広いために、ピン係止部９がキャッチ受部１４を係止すると前後に余裕ができピアス本体が耳などの人体にあけたピアス孔の中で、ピアス本体及びピアス用キャッチとの間で少し動いてしまい、人体とピアス本体及びピアス用キャッチとの間に髪の毛などの異物が挟まってしまうことがあるが、従来技術と比較すると係止という本発明と縦方向のバネ力を利用した弾性力の耐久性向上により、抜け落ちにくくなる。